(57)【特許請求の範囲】
【請求項１】
基地局と、移動局と、基地局と移動局との間の無線通信を中継する中継局と、を有する移動通信システムであって、
前記移動局は、前記基地局にランダムアクセス要求を送信する送信機を有し、
前記中継局は、
前記ランダムアクセス要求に対し前記基地局から送信されるランダムアクセス応答を受信し、受信した前記ランダムアクセス応答から前記移動局が送信する接続確立要求の送信情報を取得する送信情報取得手段と、
前記送信情報に基づいて前記接続確立要求の受信状態を測定し、前記受信状態の測定情報を含む中継報告を前記基地局に送信する中継報告手段と、を有し、
前記基地局は、
自局で受信し測定した前記接続確立要求の受信状態と、受信した前記中継報告に含まれる前記受信状態の測定情報とを比較し、比較結果から前記移動局との間の無線通信を中継局経由とするかどうかを判定する比較判定手段を
有することを特徴とする移動通信システム。
【請求項２】
請求項１記載の移動通信システムにおいて、
前記中継報告手段は、前記受信状態の測定情報と前記接続確立要求に含まれる移動局の識別情報とを含む中継報告を前記基地局に送信し、
前記比較判定手段は、自局で受信した前記接続確立要求に含まれる移動局の識別情報と受信した前記中継報告に含まれる前記移動局の識別情報が一致したとき、自局で受信し測定した前記接続確立要求の受信状態と、受信した前記中継報告に含まれる前記受信状態の測定情報とを比較する
ことを特徴とする移動通信システム。
【請求項３】
基地局と移動局の間の無線通信を中継する中継局を有する移動通信システムの中継制御方法であって、
前記移動局から送信されるランダムアクセス要求に対し前記基地局から送信されるランダムアクセス応答を前記中継局で受信し、受信した前記ランダムアクセス応答から前記移動局が送信する接続確立要求の送信情報を取得し、
前記送信情報に基づいて前記接続確立要求の受信状態を測定し、前記受信状態の測定情報を含む中継報告を前記中継局から前記基地局に送信し、
前記基地局で受信し測定した前記接続確立要求の受信状態と、前記中継報告に含まれる前記受信状態の測定情報とを比較し、比較結果から前記移動局との間の無線通信を中継局経由とするかどうかを判定する
ことを特徴とする中継制御方法。
【請求項４】
請求項３記載の中継制御方法において、
前記受信状態の測定情報と前記接続確立要求に含まれる移動局の識別情報とを含む中継報告を前記中継局から前記基地局に送信し、
前記基地局で受信した前記接続確立要求に含まれる移動局の識別情報と受信した前記中継報告に含まれる前記移動局の識別情報が一致したとき、自局で受信し測定した前記接続確立要求の受信状態と、受信した前記中継報告に含まれる前記受信状態の測定情報とを比較する
ことを特徴とする中継制御方法。
【請求項５】
基地局と移動局の間の無線通信を中継する中継局を有する移動通信システムで用いられる前記中継局であって、
前記移動局が送信するランダムアクセス要求に対し前記基地局から送信されるランダムアクセス応答を受信し、受信した前記ランダムアクセス応答から前記移動局が送信する接続確立要求の送信情報を取得する送信情報取得手段と、
前記送信情報に基づいて前記接続確立要求の受信状態を測定し、前記受信状態の測定情報を含む中継報告を前記基地局に送信する中継報告手段と、
有することを特徴とする中継局。
【請求項６】
請求項５記載の中継局において、
前記中継報告手段は、前記受信状態の測定情報と前記接続確立要求に含まれる移動局の識別情報とを含む中継報告を前記基地局に送信する
ことを特徴とする中継局。
【発明の詳細な説明】
【技術分野】
【０００１】
本発明は、基地局と移動局の間の無線通信を中継する中継局を有する移動通信システム、中継制御方法及び中継局に関する。
【背景技術】
【０００２】
携帯電話などの移動通信システムは、基地局が送受信可能な範囲であるエリア（セル）を複数組み合わせて広いエリアをカバーし、移動局の移動に伴い通信する基地局を切り替えながら通信を継続するセルラー方式が主流となっている。【０００３】
現在はＣＤＭＡ（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ：直接拡散符号分割多元接続）方式による第３世代移動通信方式のサービスが行われているが、その一方で、より高速な通信を可能とする次世代移動通信方式の検討が盛んに検討されている。３ＧＰＰ（３ｒｄ  Ｇｅｎｅｒａｔｉｏｎ  Ｐａｒｔｎｅｒｓｈｉｐ  Ｐｒｏｊｅｃｔ）においては、サービス開始を目指してＬＴＥ（Ｌｏｎｇ  Ｔｅｒｍ  Ｅｖｏｌｕｔｉｏｎ）が検討されている（例えば非特許文献１参照）。更に、その発展版であるＬＴＥ−ａｄｖａｎｃｅｄが検討されている（例えば非特許文献２参照）。また、ＬＴＥ−ａｄｖａｎｃｅｄでは、高スループット化や不感地帯での特性改善手法として、中継局（リレー）の導入が行われる予定である。【０００４】
３ＧＰＰにおいては、中継局の構成としては、通常の基地局と同等に動作する構成と共に、移動局からその存在が認識できないようにする構成も検討されている。前者の構成はＴｙｐｅ１と呼ばれ、後者はＴｙｐｅ２と呼ばれている。
【先行技術文献】
【非特許文献】
【０００５】
【非特許文献１】３ＧＰＰ  ＴＲ２５．９１３  Ｖ７．３．０
【非特許文献２】３ＧＰＰ  ＴＲ３６．９１３  Ｖ８．０．１
【非特許文献３】ＩＥＥＥ  Ｐ８０２．１６ｊ／Ｄ５，  Ｓｅｃ．  ６．３．１０
【非特許文献４】３ＧＰＰ  ＴＳ３６．３００  Ｖ８．８．０，  Ｓｅｃ．  １０．１．５
【発明の概要】
【発明が解決しようとする課題】
【０００６】
前述のようにＬＴＥ−Ａｄｖａｎｃｅｄでは中継局（ＲＮ）の導入が検討されている。中継局にはＴｙｐｅ１，Ｔｙｐｅ２があり、Ｔｙｐｅ２は移動局には認識できない。したがって、移動局との通信にＴｙｐｅ２の中継局を用いる場合には、その使用、不使用の判断はネットワーク側で行う必要がある。【０００７】
ＬＴＥ−ａｄｖａｎｃｅｄと同様に中継局の適用が検討されているＩＥＥＥ  ８０２．１６ｊ仕様のＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）では、移動局（ＵＥ）の発呼（ランダムアクセス）時の中継局接続方法について規定されている（非特許文献３参照）。【０００８】
しかし、ＬＴＥ−Ａｄｖａｎｃｅｄにおいて、ＩＥＥＥ  ８０２．１６ｊと同様の方法を用いた場合は、中継局との接続処理の遅延が大きいため、ランダムアクセスがタイムアウトするおそれがある、という問題が生じる。【０００９】
そこで、目的の一つは、上記の点に鑑みなされたものであり、中継局への接続を高速に行う移動通信システムを提供することである。
【課題を解決するための手段】
【００１０】
基地局と、移動局と、基地局と移動局との間の無線通信を中継する中継局と、を有する移動通信システムであって、前記移動局は、前記基地局にランダムアクセス要求を送信する送信機を有し、前記中継局は、前記ランダムアクセス要求に対し前記基地局から送信されるランダムアクセス応答を受信し、受信した前記ランダムアクセス応答から前記移動局が送信する接続確立要求の送信情報を取得する送信情報取得手段と、前記送信情報に基づいて前記接続確立要求の受信状態を測定し、前記受信状態の測定情報を含む中継報告を前記基地局に送信する中継報告手段と、を有し、前記基地局は、自局で受信し測定した前記接続確立要求の受信状態と、受信した前記中継報告に含まれる前記受信状態の測定情報とを比較し、比較結果から前記移動局との間の無線通信を中継局経由とするかどうかを判定する比較判定手段を有する。
【発明の効果】
【００１１】
本実施形態によれば、中継局への接続を高速に行うことができる。
【図面の簡単な説明】
【００１２】
【図１】移動通信システムの一実施形態のシステム構成図である。
【図２】ランダムアクセス動作の一例のタイミングチャートである。
【図３】ランダムアクセス動作の他の一例のタイミングチャートである。
【図４】ランダムアクセス動作の一実施形態のタイミングチャートである。
【図５】中継局装置の一実施形態のブロック図である。
【図６】基地局装置の一実施形態のブロック図である。
【図７】移動局装置の一実施形態のブロック図である。
【図８】ランダムアクセス要求の一実施形態の信号フォーマットを示す図である。
【図９】ランダムアクセス応答の一実施形態の信号フォーマットを示す図である。
【発明を実施するための形態】
【００１３】
以下、図面に基づいて実施形態を説明する。
【００１４】
＜移動通信システムのシステム構成＞
図１は移動通信システムの一実施形態のシステム構成図を示す。図１において、基地局（ｅＮＢ：ｅｖｏｌｖｕｄ  Ｎｏｄｅ  Ｂ）１，２はセル３，４それぞれを形成している。基地局１のセル３内には中継局（ＲＮ：Ｒｅｌａｙ  Ｎｏｄｅ）５が設けられている。この中継局５はＬＴＥ−ＡｄｖａｎｃｅｄにおけるＴｙｐｅ２の中継局である。
【００１５】
移動局（ＵＥ：Ｕｓｅｒ  Ｅｑｕｉｐｍｅｎｔ）６が中継局５の近傍にある場合、移動局６と基地局１との間のユーザデータの通信は、実線の矢印で示すように、中継局５を経由して行われる。これに対し、移動局６と基地局１との間のランダムアクセス要求やランダムアクセス応答のような制御信号の通信は、破線の矢印で示すように、中継局５を経由せず、移動局６と基地局１の間で直接行われる。
【００１６】
＜ＬＴＥのランダムアクセス動作＞
まず、非特許文献４に記載されたＬＴＥのランダムアクセス手順と、非特許文献４に記載されたＩＥＥＥ  ８０２．１６ｊのランダムアクセスの規定を組み合わせ、ＬＴＥで中継局があると仮定した場合のランダムアクセス動作のタイミングチャートを図２に示す。
【００１７】
図２において、移動局はランダムに選択したプリアンブルをランダムアクセス要求（Ｍｓｇ１）として基地局に送信する。このランダムアクセス要求（Ｍｓｇ１）を中継局が受信して受信レベルを測定し、測定結果を基地局にＲＡ＿ｒｅｐｏｒｔで通知する。基地局は、ＲＡ＿ｒｅｐｏｒｔの測定結果と、基地局で移動局から直接受信したランダムアクセス要求（Ｍｓｇ１）の受信レベルを比較し、移動局との通信を中継局経由とするかどうか判断する。
【００１８】
中継局経由とすると判断した場合は、基地局はその旨を中継局に通知し（ＲＡ＿ｒｅｓｐｏｎｓｅ）、以後の移動局との通信を中継局経由で行う。また、基地局は移動局に対してランダムアクセス応答（Ｍｓｇ２）を返送する。
【００１９】
中継局がない場合のランダムアクセス応答（Ｍｓｇ２）は図２に破線の矢印で示すタイミングで返送されるが、中継局がある場合には、基地局は中継局からのＲＡ＿ｒｅｐｏｒｔによる報告を待ってからランダムアクセス応答（Ｍｓｇ２）を送信することになるため、ランダムアクセス要求（Ｍｓｇ１）からランダムアクセス応答（Ｍｓｇ２）までの間の時間が長くなる。一方、ＬＴＥの仕様では、移動局はランダムアクセス要求（Ｍｓｇ１）を送信後、直ちに（図中の期間Ｔ１で）、ランダムアクセス応答（Ｍｓｇ２）が返されることを想定しているため、ランダムアクセス処理がタイムアウトしてしまう場合がある。
【００２０】
このような場合に対応する方法として、ＲＡ＿ｒｅｐｏｒｔをランダムアクセス応答（Ｍｓｇ２）の後に行う方法が考えられる。この場合のランダムアクセス動作のタイミングチャートを図３に示す。
【００２１】
図３において、移動局ＵＥ１はランダムに選択したプリアンブルをランダムアクセス要求（Ｍｓｇ１（１））として基地局に送信する。基地局は移動局ＵＥ１からのランダムアクセス要求（Ｍｓｇ１（１））を受信すると、直ちにランダムアクセス応答（Ｍｓｇ２）を返送する。その後、中継局から基地局に対し移動局ＵＥ１の受信レベルがＲＡ＿ｒｅｐｏｒｔによって報告される。基地局では、自局のランダムアクセス信号（Ｍｓｇ１（１））の受信状態とＲＡ＿ｒｅｐｏｒｔによる中継局のランダムアクセス信号（Ｍｓｇ１（１））の受信状態を比較して中継局接続の要否を判断する。
【００２２】
ここで、中継局から基地局に対し移動局ＵＥ１の受信レベルがＲＡ＿ｒｅｐｏｒｔによって報告される前に、移動局ＵＥ２が６４種類あるシグネチャのうち偶然に移動局ＵＥ１と同一シグネチャのプリアンブルを用いてランダムアクセス要求（Ｍｓｇ１）を送信すると、基地局は中継局からのＲＡ＿ｒｅｐｏｒｔが移動局ＵＥ１に対するものか、移動局ＵＥ２に対するものかを判別できなくなる。これは、プリアンブルには移動局を確実に区別できる仮ＵＥ識別番号のような情報が含まれていないためである。
【００２３】
＜実施形態＞
以下に説明する本実施形態では、中継局は、移動局からのランダムアクセス要求（Ｍｓｇ１）ではなく、移動局からの接続確立要求（Ｍｓｇ３）の受信に基づいて基地局にＲＡ＿ｒｅｐｏｒｔを報告する。
【００２４】
＜ＬＴＥ−Ａｄｖａｎｃｅｄのランダムアクセス動作＞
図４は、ＬＴＥ−Ａｄｖａｎｃｅｄで中継局がある場合のランダムアクセス動作の一実施形態のタイミングチャートを示す。図４において、移動局（ＵＥ１）はランダムにシグネチャを選択したプリアンブルをランダムアクセス要求（Ｍｓｇ１）として基地局（ｅＮＢ）に送信する。基地局は移動局からのランダムアクセス要求（Ｍｓｇ１）を受信すると、直ちにランダムアクセス応答（Ｍｓｇ２）を返送する。
【００２５】
中継局（ＲＮ）は基地局から送信されるランダムアクセス応答（Ｍｓｇ２）を待ち受ける。ランダムアクセス応答（Ｍｓｇ２）には、次に移動局が接続確立要求（Ｍｓｇ３）を送信するためのタイミング、使用する無線リソース、仮ＵＥ識別番号等の情報が含まれている。中継局はランダムアクセス応答（Ｍｓｇ２）を受信すると、ランダムアクセス応答（Ｍｓｇ２）に含まれる情報から、移動局が接続確立要求（Ｍｓｇ３）をどのタイミングで、どのリソースで、どの仮ＵＥ識別番号を用いて送信するかを知ることができ、確実に接続確立要求（Ｍｓｇ３）を待ち受けることができる。
【００２６】
移動局はランダムアクセス応答（Ｍｓｇ２）を受信すると、ランダムアクセス応答（Ｍｓｇ２）に含まれる情報（接続確立要求をどのタイミングで、どのリソースで、どの仮ＵＥ識別番号を用いて送信するかの情報）にしたがって接続確立要求（Ｍｓｇ３）を基地局に送信する。
【００２７】
中継局は、移動局ＵＥ１から送信される接続確立要求（Ｍｓｇ３）を待ち受ける。接続確立要求（Ｍｓｇ３）には仮ＵＥ識別番号が含まれているため、それがどの移動局から送信されたものかを確実に判別することができる。中継局は接続確立要求（Ｍｓｇ３）を受信すると受信レベル又は受信品質等の受信状態を測定し、また、接続確立要求（Ｍｓｇ３）内の情報から移動局の仮ＵＥ識別番号を抽出する。そして、受信レベル又は受信品質等の受信状態の測定情報と仮ＵＥ識別番号を含むＲＡ＿ｒｅｐｏｒｔを基地局に通知する。
【００２８】
基地局では、自局で測定した接続確立要求（Ｍｓｇ３）の受信レベル又は受信品質等の受信状態の測定情報と、ＲＡ＿ｒｅｐｏｒｔによる中継局の接続確立要求（Ｍｓｇ３）の測定情報を比較して中継局接続の要否を判断する。すなわち、中継局の受信状態が良好な場合に「中継局接続要」とし、中継局の受信状態が良好ではない場合に「中継局接続不要」とする。中継局経由（中継局接続要）と判断した場合は、基地局はその旨をＲＡ＿ｒｅｓｐｏｎｓｅにより中継局に通知し、以後の移動局との通信を中継局経由で行う。
【００２９】
また、基地局は移動局に接続確立応答（Ｍｓｇ４）を返送し、通信を開始する。接続確立応答（Ｍｓｇ４）は中継局経由で移動局に送信しても良く、直接移動局に送信しても良い。
【００３０】
このように、中継局は、移動局からの接続確立要求（Ｍｓｇ３）の受信に基づいて仮ＵＥ識別番号を含むＲＡ＿ｒｅｐｏｒｔを基地局に報告するため、基地局ではどの移動局に対するＲＡ＿ｒｅｐｏｒｔであるかを確実に区別することができ、基地局は高速かつ確実に中継局の使用／不使用を判定することが可能となる。
【００３１】
＜中継局装置＞
図５に中継局装置の一実施形態のブロック図を示す。ここでは、ランダムアクセスに関連する処理を行う部分を示している。図５において、中継局装置１０は、制御部１１と、基地局側との無線通信を行う送信部１２及び受信部１３及びアンテナ１４と、移動局側との無線通信を行う送信部１５及び受信部１６及びアンテナ１７を有している。
【００３２】
制御部１１内のＭｓｇ２抽出部２１は基地局側の受信部１３で受信した基地局の送信信号からランダムアクセス応答（Ｍｓｇ２）を抽出してＭｓｇ３情報読み出し部２２に供給する。Ｍｓｇ３情報読み出し部２２は、ランダムアクセス応答（Ｍｓｇ２）に含まれる接続確立要求（Ｍｓｇ３）のタイミング、リソース、仮ＵＥ識別番号を取り出して待ち受け情報として移動局側の受信部１６に供給する。
【００３３】
移動局側の受信部１６は上記待ち受け情報のタイミング、リソース、仮ＵＥ識別番号で特定される移動局からの接続確立要求（Ｍｓｇ３）を受信すると、当該接続確立要求（Ｍｓｇ３）を制御部１１内の受信状態測定部２３に供給する。受信状態測定部２３では上記接続確立要求（Ｍｓｇ３）の受信レベル又は受信品質等で受信状態を測定し、また、接続確立要求（Ｍｓｇ３）から移動局の仮ＵＥ識別番号を抽出し、上記の受信状態及び仮ＵＥ識別番号を受信状態報告部２４に供給する。受信状態報告部２４は接続確立要求（Ｍｓｇ３）の受信状態と移動局の仮ＵＥ識別番号を含むＲＡ＿ｒｅｐｏｒｔを作成して基地局側の送信部１２から送信する。
【００３４】
また、制御部１１内の中継部２５は、基地局側の受信部１３で受信した基地局の送信信号に含まれるＲＡ＿ｒｅｓｐｏｎｓｅで「中継局接続要」を通知された呼に関して、基地局側の受信部１３で受信した信号を移動局側の送信部１５に中継して送信し、移動局側の受信部１６で受信した信号を基地局側の送信部１２に中継して送信する。
【００３５】
＜基地局装置＞
図６に基地局装置の一実施形態のブロック図を示す。ここでは、ランダムアクセスに関連する処理を行う部分を示している。図６において、基地局装置３０は、制御部３１と、移動局又は中継局との無線通信を行う送信部３２及び受信部３３及びアンテナ３４を有している。
【００３６】
制御部３１内のＭｓｇ１情報抽出部４１は受信部３３で受信した信号からランダムアクセス要求（Ｍｓｇ１）を抽出してＭｓｇ２情報作成部４２に供給する。Ｍｓｇ２情報作成部４２は受信したランダムアクセス要求に対して、ランダムアクセス応答（Ｍｓｇ２）を生成して送信部３２から送信する。このランダムアクセス応答にはランダムアクセス要求のシグネチャ、次に移動局が接続確立要求（Ｍｓｇ３）を送信するためのタイミング、使用する無線リソース、仮ＵＥ識別番号等の情報を含んでいる。
【００３７】
また、受信部３３で受信した信号は制御部３１内の受信状態測定部４３に供給される。受信状態測定部４３はＭｓｇ２情報作成部４２から次に移動局が接続確立要求（Ｍｓｇ３）を送信するためのタイミング、使用する無線リソース、仮ＵＥ識別番号等の情報を供給されている。受信状態測定部４３は移動局から送信された接続確立要求（Ｍｓｇ３）の受信レベル又は受信品質等の受信状態を測定し、受信状態の測定情報を接続確立要求（Ｍｓｇ３）から取り出した仮ＵＥ識別番号と共に中継要否判定部４５に供給する。
【００３８】
また、受信部３３で受信した信号は制御部３１内のＲＡ＿ｒｅｐｏｒｔ受信部４４に供給される。ＲＡ＿ｒｅｐｏｒｔ受信部４４は中継局から送信されたＲＡ＿ｒｅｐｏｒｔを抽出し、ＲＡ＿ｒｅｐｏｒｔから受信状態の測定情報と仮ＵＥ識別番号を取り出して中継要否判定部４５に供給する。
【００３９】
中継要否判定部４５は受信状態測定部４３から供給される自局で測定した接続確立要求（Ｍｓｇ３）の測定情報及び仮ＵＥ識別番号と、ＲＡ＿ｒｅｐｏｒｔ受信部４４から供給される中継局で測定した接続確立要求（Ｍｓｇ３）の測定情報及び仮ＵＥ識別番号とを比較する。そして、双方の仮ＵＥ識別番号が一致し中継局の受信状態が良好な場合に「中継局接続要」と判定し、双方の仮ＵＥ識別番号が一致し中継局の受信状態が良好ではない場合に「中継局接続不要」と判定し、その判定結果をＲＡ＿ｒｅｓｐｏｎｓｅ作成部４６に供給する。
【００４０】
ＲＡ＿ｒｅｓｐｏｎｓｅ作成部４６は供給される判定結果が「中継局接続要」の場合に、当該呼の中継局接続を指示するＲＡ＿ｒｅｓｐｏｎｓｅを生成する。このＲＡ＿ｒｅｓｐｏｎｓｅは送信部３２から中継局に送信される。
【００４１】
＜移動局装置＞
図７に移動局装置の一実施形態のブロック図を示す。ここでは、ランダムアクセスに関連する処理を行う部分を示している。図７において、移動局装置５０は、制御部５１と、データ処理部５２と、基地局又は中継局との無線通信を行う送信機５３及び受信機５４及びアンテナ５５を有している。
【００４２】
制御部５１内の報知情報処理部５６は受信機５４で受信した信号から、基地局から報知されるプリアンブル情報（複数のシグネチャを含む）を抽出してプリアンブル選択部５７に供給する。プリアンブル選択部５７は抽出されたプリアンブル情報から、ランダムに使用するシグネチャを選択し、ランダムアクセス要求（Ｍｓｇ１）として送信部３２から送信する。
【００４３】
また、制御部５１は基地局から送信されるランダムアクセス応答（Ｍｓｇ２）を受信すると、その内容に基づいて無線リソース、送信タイミングを設定し、接続確立要求（Ｍｓｇ３）を生成して送信部３２から送信する。
【００４４】
その後、制御部５１は基地局から送信される接続確立応答（Ｍｓｇ４）を受信し、コンテンション・レゾリューションに成功したと判断したら通信を継続し、失敗したと判断したらランダムアクセスを最初からやり直す。
【００４５】
また、受信機５４で受信されたダウンリンクのユーザデータはデータ処理部５２に供給されてデータ処理される。データ処理部５２が出力するアップリンクのユーザデータは送信機５３から送信される。
【００４６】
＜信号フォーマット＞
図８にランダムアクセス要求（Ｍｓｇ１）の一実施形態の信号フォーマットを示す。図８において、ＣＰ（Ｃｙｃｌｉｃ  Ｐｒｅｆｉｘ）はガード区間ＴＣＰである。ガード区間ＴＣＰに続く区間ＴＳＥＱのＳｅｑｕｅｎｃｅがプリアンブル（シグネチャ）となる。
【００４７】
図９（Ａ），（Ｂ）にランダムアクセス応答（Ｍｓｇ２）の一実施形態の信号フォーマットを示す。基地局は一定期間に受信できた複数（ｎ個）の移動局のランダムアクセス要求（Ｍｓｇ１）に対し、まとめてランダムアクセス応答を行う。このため、図９（Ａ）に示すランダムアクセス応答（Ｍｓｇ２）のヘッダ部（ＭＡＣ  ｈｅａｄｅｒ）にはｎ個の移動局が送信したシグネチャが設定されるｎ個のサブヘッダ（Ｅ／Ｔ／ＲＡＰＩＤ  ｓｕｂｈｅａｄｅｒ  １〜ｎ）がある。また、ペイロード部にはｎ個の移動局に対するランダムアクセス応答（ＭＡＣ  ＲＡＲ  １〜ｎ）が含まれる。各ランダムアクセス応答（ＭＡＣ  ＲＡＲ  １〜ｎ）は、図９（Ｂ）に示すように６オクテットであり、接続確立要求（Ｍｓｇ３）を送信するためのタイミング（Ｔｉｍｉｎｇ  Ａｄｖａｎｃｅ  Ｃｏｍｍａｎｄ）、使用する無線リソース（ＵＬ  Ｇｒａｎｔ）、２オクテット（＝１６ビット）の仮ＵＥ識別番号（Ｔｅｍｐｏｒａｒｙ  Ｃ−ＲＮＴＩ）それぞれがある。
【００４８】
ところで、接続確立要求（Ｍｓｇ３）は通常のユーザデータと同様のフォーマットであり、接続確立要求コード、宛先情報（基地局）、送信元情報（仮ＵＥ識別番号）を含むと共に、移動局に固有のＵＥ識別番号（実ＵＥ識別番号）等の情報を含んでいる。
【００４９】
上記の実施形態によれば、ＲＡ＿ｒｅｐｏｒｔをランダムアクセス応答（Ｍｓｇ２）の後に行うことで、Ｔｙｐｅ２の中継局への接続を高速に行うことができる。また、ＲＡ＿ｒｅｐｏｒｔがどの移動局のランダムアクセス要求（Ｍｓｇ１）に対するものかを仮ＵＥ識別番号により確実に区別できる。更に、中継局は常にランダムアクセス要求（Ｍｓｇ１）を受信する必要がないので、負荷を軽減できる。
【００５０】
なお、上記実施形態では、Ｍｓｇ２抽出部２１を送信情報取得手段の一例として用い、受信状態測定部２３，受信状態報告部２４を中継報告手段の一例として用い、中継要否判定部４５を比較判定手段の一例として用い、ＲＡ＿ｒｅｐｏｒｔ受信部４４を中継報告受信手段の一例として用いている。
【符号の説明】
【００５１】
１０  中継局装置
１１，３１，５１  制御部
１２，１５，３２  送信部
１３，１６，３３  受信部
１４，１７，３４，５５  アンテナ
２１  Ｍｓｇ２抽出部
２２  Ｍｓｇ３情報読み出し部
２３  受信状態測定部
２４  受信状態報告部
２５  中継部
３０  基地局装置
４１  Ｍｓｇ１情報抽出部
４２  Ｍｓｇ２情報作成部
４３  受信状態測定部
４４  ＲＡ＿ｒｅｐｏｒｔ受信部
４５  中継要否判定部
４６  ＲＡ＿ｒｅｓｐｏｎｓｅ作成部
５０  移動局装置
５２  データ処理部
５３  送信機
５４  受信機
５６  報知情報処理部
５７  プリアンブル選択部
【図１】
0005525034.tif 000002
【図２】
0005525034.tif 000003
【図３】
0005525034.tif 000004
【図４】
0005525034.tif 000005
【図５】
0005525034.tif 000006
【図６】
0005525034.tif 000007
【図７】
0005525034.tif 000008
【図８】
0005525034.tif 000009
【図９】
0005525034.tif 000010